(57)【要約】【課題】法枠で囲まれた範囲に植生を施すことができることはもちろん、法枠自体にも植生を施すことができる法枠の構築方法を提供する。【解決手段】多数の貫通孔を表面から裏面まで貫通させた、多孔帯状体１を使用する。多孔帯状体１としては、樹脂、防錆処理した金網など様々な材料が使用できる。この多孔帯状体１を法枠の断面形状に近い形状に湾曲変形させ、あるいは折り曲げ変形させ、更には筒状に屈曲して法枠骨組み３を形成する。この法枠骨組み３を法枠の延長上に連続して配置し、配置した法枠骨組み３の上から砂基材４を供給して行う。【選択図】図１
2008163741.tif 000002
【特許請求の範囲】
【請求項１】
法面の上に配置される法枠の構造であって、
表面から裏面まで貫通した多数の貫通孔を有する多孔帯状体と、
前記多孔帯状体それ自体が、前記法面側が凹側となるように湾曲変形し、折り曲げ変形し、又は筒状に屈曲することにより形成され、前記法面に連続に配置される法枠骨組みと、
少なくとも前記法枠骨組みと前記法面との間に供給される植生可能な砂基材とを備え、
前記多孔帯状体は、樹脂、又は樹脂を含む複合材料によって形成した帯状体であり、
前記法枠組みが縦枠、横枠を持つ格子状に配置され、
前記植生可能な砂基材が繊維を含有するとともに、保水性を有している
法枠の構造。
【請求項２】
前記縦枠および横枠のそれぞれが法面の一方向に渡って一枚の帯状体から成り、
前記植生可能な砂基材が繊維を含有するとともに、保水性を有している
ことを特徴とする請求項１記載の法枠の構造。
【請求項３】
法枠には、そのものの表面から植物が生育していることを特徴とする
請求項１又は２記載の法枠の構造。
【請求項４】
前記した砂基材が含有する繊維は、合成樹脂繊維、ガラス繊維などであることを特徴とする
請求項１乃至３のいずれか１項に記載の法枠の構造。
【請求項５】
前記多孔帯状体の湾曲変形、折り曲げ変形、又は筒状変形を、線状の間隔保持材の両端を多孔帯状体に引っ掛けることによって拘束したことを特徴とする
請求項１乃至４のいずれか１項に記載の法枠の構造。
【請求項６】
前記法枠骨組みを格子状に配置して、縦枠と横枠とを形成し、
前記縦枠の法枠骨組みと前記横枠の法枠骨組みとの交差部において、一方の法枠骨組みを変形させて他方の法枠骨組みの下に配置し、
上下に重なった前記法枠骨組みを貫通してアンカーを打設し、
前記法枠骨組みの上から、前記砂基材を供給して行う、
請求項１乃至５のいずれか１項に記載の法枠の構造。
【請求項７】
前記多孔帯状体を前記法面に配置する工程と、
前記多孔状体それ自体が、前記法面側が凹側となるように湾曲変形し、折り曲げ変形し、又は筒状に屈曲することにより法枠骨組みを形成する工程と、
前記法枠骨組みの上から、植生可能な砂基材を供給する工程とを備える
法枠の構築方法。
【請求項８】
前記した砂基材が含有する繊維は、合成樹脂繊維、ガラス繊維などであることを特徴とする
請求項７記載の法枠の構築方法。
【請求項９】
線状の間隔保持材によって、両端を引っ掛けることにより、
前記多孔帯状体の湾曲変形、折り曲げ変形、又は筒状の屈曲変形を拘束して法枠骨組みを形成する
請求項７又は８に記載の法枠の構築方法。
【請求項１０】
多孔帯状体として、樹脂、又は樹脂を含む複合材料によって形成した帯状体とすることを特徴とする
請求項７乃至９のいずれか１項に記載の法枠の構築方法。
【請求項１１】
前記法枠骨組みを格子状に配置することにより、縦枠と横枠とを形成し、
前記縦枠の法枠骨組みと前記横枠の法枠骨組みとの交差部において、一方の法枠骨組みを変形させて他方の法枠骨組みの下に配置し、
上下に重なった前記法枠骨組みを貫通してアンカーを打設し、
前記法枠骨組みの上から、前記砂基材を供給して行う、
請求項７乃至１０のいずれか１項に記載の法枠の構築方法。
【請求項１２】
法枠骨組みを設置する前に、法面上に、多数の貫通孔を表面から裏面まで貫通させた多孔性材料を敷設することを特徴とする
請求項７乃至１１のいずれか１項に記載の法枠の構築方法。
【請求項１３】
多孔性材料として、樹脂、又は樹脂を含む複合材料によって形成した網状材、或いは防錆処理した金網やエキスパンドメタルを使用することを特徴とする
請求項１２記載の法枠の構築方法。
【請求項１４】
前記法枠に削孔し、
その削孔部に植生を行う、
請求項７乃至１３のいずれか１項に記載の法枠の構築方法。
【請求項１５】
前記法枠に、法面表面下まで至る削孔部を掘削し、
その削孔部に、紙や生分解性樹脂などの筒体内に入れた樹木の苗を入れたものを挿入し、
植生を行う、
請求項１４記載の法枠の構築方法。
【発明の詳細な説明】
【技術分野】
【０００１】
本発明は、法枠の構造とその構築方法に関するものである。
【背景技術】
【０００２】
法面の崩壊を阻止する工法として、法面に格子状にモルタルやコンクリートを吹き付けて構成する法枠が広く採用されている。
さらに特許文献１に示すように、金属の網で構成したシート状網体を湾曲させ、長さ方向に連続させ、所要位置で十字状に交差させてその上からモルタルやコンクリートを吹き付ける工法も知られている。
これらの工法では、法枠を構築するだけでなく、次の工程では法枠で囲まれた地山の露出した範囲には植生を施して景観に考慮する作業が行われている。
【０００３】
景観を考慮した発明として特許文献２乃至特許文献４に示すような植生可能な土や砂などを金網などに詰める発明が開示されている。
特許文献２では、金属製コイル筋に植生用客土を吹き付けるものであり、特許文献３では袋の中に植生基盤材を詰めるものである。特許文献４では、鉄筋を組んだ籠状ユニットに植生材料を吹き付けるものである。
金属製コイル筋や鉄筋を組んだ籠状ユニットであると、金属の腐食の問題があり、雨水が容易に浸み込む植生基盤材料であると、その剛性を長く保つことができない。
袋の中に植生材料を吹き付けるものであると、その作業性が良好でない。また法枠としての強度を期待することはできない。
【特許文献１】特開平８−１５１６３７号公報
【特許文献２】特開平１−２７５２１号公報
【特許文献３】特開２００５−１５５１６３号公報
【特許文献４】特開平９−２７９５９３号公報
【発明の開示】
【発明が解決しようとする課題】
【０００４】
前記の特許文献１などで開示されている従来の法枠の構造やその構築方法にあっては、更に次のような問題点がある。
＜１＞  十文字状の法枠で囲まれた範囲に植生を施すから、その範囲では植物が青々と育って良い景観を与えることができる。しかし、法枠自体はコンクリート、モルタル製だからそこだけは植物が育つことがなく、遠方から見ると白っぽい枠体として法面に浮き上がって見えて、せっかくの景観を損なってしまう。
＜２＞  従来の工法では法枠が交差する位置では、骨組みが縁が切れる構造となっている。つまり、交差部分において縦枠又は横枠の骨組みが分断されている。そのために交差部分が弱点になりやすく、地山が動いて押し出し力が生じると縦枠と横枠とが一体で抵抗しがたく、破損の原因となる。
【課題を解決するための手段】
【０００５】
上記のような課題を解決するために、本発明の法枠の構造は、法面に配置する法枠の構築方法であって、多数の貫通孔を表面から裏面まで貫通させた多孔帯状体を使用し、多孔帯状体を法面側が凹側となるように湾曲変形させ、折り曲げ変形し、又は筒状に屈曲したことにより法枠骨組みを形成し、法枠骨組みを法面において連続に配置し、前記法枠骨組みの上から、植生可能な砂基材を供給して行うものである。
前記砂基材は保水性を有している。
前記多孔帯状体を、筒状に屈曲して法枠骨組みとすることも可能である。
多孔帯状体としては、樹脂、又は樹脂を含む複合材料によって形成したものを使用することができる。
前記法枠骨組みが縦枠、横枠を持つ格子状に配置され、前記縦枠および横枠のそれぞれが法面の一方向に渡って一枚の帯状体から成っている。
さらに、本発明の法枠の構築方法は、多孔帯状体よりも法面側に配置され、多孔帯状体の幅よりも小さい幅を有する間隔保持材によって、多孔帯状体の法面側が凹側となる湾曲変形、あるいは折り曲げ変形、又は筒状に屈曲したものを拘束して、法枠骨組みを形成することを特徴とするものである。
このような法枠骨組みに繊維を含有する砂基材を供給するもので、完成した法枠は保水性を有している。
間隔保持材としては、板状で、多数の貫通孔を貫通させた連結多孔体であってもよいし、線状で、両端を多孔帯状体に引っ掛けるようなものでもよい。
加えて、本発明の法枠の構築方法は、法面において、法枠骨組みを格子状に配置することにより、縦枠と横枠とを形成し、縦枠と横枠との交差部において、縦枠及び横枠のうち、一方の法枠骨組みを変形させて他方の法枠骨組みの下に配置し、上下に重なった法枠骨組みを貫通してアンカーを打設することができる。
以上の法枠の構造において、法枠骨組み設置の前に、法面上に多数の貫通孔を貫通させた多孔性材料を敷設することも可能である。
加えてまた、本発明の法枠の構築方法は、前記した法枠の構造を構築するための多様な方法である。
【発明の効果】
【０００６】
本発明の法枠の構築方法と構造は以上説明したようになるから次のような効果を得ることができる。
＜ａ＞  十文字状の法枠で囲まれた範囲に植生を施すことができることはもちろん、湾曲変形または折り曲げ変形、或いは筒状に形成した多孔帯状体に植生可能な砂基材が吹き付けられて形成される法枠自体にも植生を施すことができる。そのために法面の全範囲にわたって植物を育成することができ、遠方から見ても白っぽい枠体は植物の陰に隠れてしまい、景観を損ねることがない。つまり、法枠そのものの表面から植物が生えて繁殖するという、従来の法枠では想像のできなかった景観を得ることができる。
なお、法枠に削孔を配置し、削孔に植生すれば、積極的に法枠に植生を施すことができる。
＜ｂ＞  法枠骨組みが法面において連続に配置されるため、地山が動いて押し出し力が生じても法枠が一体で抵抗する。さらに、法枠の縦枠と横枠とが交差する場合には、法枠の縦枠と横枠とが交差する位置でも、内部の骨組みの縁が切れていない。そのために交差部分が弱点になり難く、地山が動いて押し出し力が生じても縦枠と横枠とが一体で抵抗するから、交差部が破損の原因とならない。
＜ｃ＞  多孔帯状体それ自体が湾曲変形または折り曲げ変形、或いは筒状に形成するため、湾曲状態又は折り曲げ状態を拘束する拘束部材が無く、法枠を構成する部材を削減することができる。つまり、法枠の構成を簡素にすることができるため、法枠の構築が容易となる。
＜ｄ＞  多孔帯状体を樹脂、又は樹脂を含む複合材料としたため、金属を材料とした場合に起こる腐食を防止することができ、長年にわたって確実に法枠を維持することができる。また、多孔帯状体をロール状に保管することができるため、法枠を施工する時の持ち運びなどを容易にすることができる。
＜ｅ＞  湾曲状態又は折り曲げ状態を維持する間隔保持材により、多孔帯状体の変形を維持すれば、法枠への植生を妨げることなく、より確実に多孔帯状体の変形を維持できる。
【発明を実施するための最良の形態】
【０００７】
以下、図面を参照にしながら本発明の好適な実施の形態を詳細に説明する。
【実施例】
【０００８】
（第一実施形態）
＜１＞  前提条件
本発明の対象とする構造物は、法面の上に、縦枠Ａ１と横枠Ａ２とを格子状に配置する法枠Ａである。
法枠Ａのほとんどの位置では縦枠Ａ１と横枠Ａ２が十文字状に交差しており、端部においては縦枠Ａ１と横枠Ａ２はＴ字状に交差している。
【０００９】
＜２＞多孔帯状体１
法枠Ａの骨組みは、金網ではなく、合成樹脂性の多孔帯状体１によって構成する。
この多孔帯状体１は、多数の貫通孔を表面から裏面まで貫通させた材料を帯状に形成した資材である。
多数の貫通孔を表面から裏面まで貫通させた材料として、例えば合成樹脂や合成繊維、ガラス繊維、アラミド繊維、炭素繊維を樹脂に含侵させグリッド状に一体整形した線材１１を格子状に結合した資材を使用する。
図２の実施例に示す多孔帯状体１は、線材１１を多少の間隔を介して格子状に結合した材料であるから、線材１１と線材１１の間には多くの孔１２が開口している。
その孔１２を通して後述する砂基材の吹き付け、植物の根の法面に向けた侵入などを許容することができる。
【００１０】
＜３＞多孔帯状体１の拘束
本発明では、「多孔帯状体１」を変形や屈曲させたものを、そのまま「法枠骨組み３」とすることもあるが、「多孔帯状体１」を変形や屈曲させて、多孔連結材２やスペーサー部材７のような「間隔保持材」によって拘束して、「法枠骨組み３」とすることもある。
【００１１】
＜４＞多孔帯状体１の変形
この多孔帯状体１をアーチ状に湾曲変形させて、断面が半円状の法枠骨組み３を形成する。
多孔帯状体１を、図９に示すような断面コ字状や、ロ字状に折り曲げ変形させて法枠骨組み３を形成し、断面を矩形としてもよい。
【００１２】
＜５＞多孔帯体１の他の変形
多孔帯状体１を、筒状に屈曲変形させて、法枠骨組み３としてもよい。筒の形状は、図７に示すような円筒形状でもよいし、三角形や四角形などの他の多角形を成す角筒形状であってもよい。
図８に示すのは、多孔帯状体１の中間部分を波形に屈曲させた場合である。このように波形に屈曲させた場合は、波形部分がリブのように機能し、法枠骨組み３自体の強度が増すことになる。
ともあれ、法枠骨組み３の形状としては、法枠骨組み３と法面５との間に形成した空間や、或いは筒形のように法枠骨組み３内部に、後に述べる砂基材４を充填できるような形状であれば広く採用可能であって、そのバリエーションは様々なものが考えられる。
【００１３】
＜６＞変形の維持
湾曲変形させても拘束が解除されると、原形が１枚の平板である多孔帯状体１は、もとの平板に戻ってしまう可能性もある。
そこで、アーチ状に湾曲変形させた多孔帯状体１の中間の位置に、間隔保持材として、図２に示すような多孔連結材２を取り付けて変形状態を維持させる。
この多孔連結材２も、金属製の金網ではなく、合成樹脂性の建設資材であり、多数の貫通孔を表面から裏面まで貫通させた板状体である。
この多孔連結材２の端部と、多孔帯状体１とを連結するには、例えば多孔連結材２の一部に切り込みを入れてＬ字状の枝を形成し、この枝を多孔帯状体１の線材に係合する方法を採用することができる。
あるいは鋼線をネジってリングを形成し、このリングを多孔帯状体１の開口部と多孔連結材２の開口部に係合する方法を採用することもできる。
なお、変形を維持するためには、図７に示すような、単なる棒状体の両端にフックを形成したような針金などの線状のスペーサー部材７を間隔保持材として使用して、拘束することも可能である。
ことに、筒状に屈曲した多孔帯状体１は、その筒形が変形しないように、間隔保持材を筒の中に掛け渡すと好適である。
【００１４】
＜７＞多孔性材料５１の敷設
法枠骨組み３を法面５上に設置する前に、予め法面５上に多孔性材料５１を敷設することもある。
多孔性材料としては、多孔性帯状材１と同じ多数の貫通孔が形成された材料の使用が可能であって、アラミド繊維、炭素繊維を樹脂に含浸させ、グリッド状に一体成形した線材を格子状に結合した資材などが採用できる。
或いは、金網やエキスパンドメタルの表面を、亜鉛メッキ、より詳しくは亜鉛アルミニウム合金メッキによって防錆処理したような材料も採用できる。
このような多孔性材料５１を法面５上に敷設することにより、法面の土壌の流出を防ぐとともに、貫通孔からの植生も阻害しない。
この多孔性材料５１の上に重ねて、前記した法枠骨組み３を設置する。
【００１５】
＜８＞法枠骨組み３の敷設
法面上に配置する。
変形させた法枠骨組み３を、隣接する法枠骨組み３との間に間隔を空けて、法枠Ａを構築する予定線の延長上に連続して法面の上に敷設する。
その場合に多孔帯状体１を、法面に縦方向（上下方向）と横断方向（水平方向）方向に交差させて敷設すれば、法面４の表面に井桁状の法枠Ａを形成する。
敷設したら、要部にアンカー３１を打ち込んで法枠骨組み３の法面上での移動を阻止する。
なお、実施例では法枠骨組み３を直接法面の上に敷設した場合を説明するが、法面の上に金網を敷設し、その金網の上に法枠骨組み３を敷設することも可能である。
【００１６】
＜９＞交差部の構成。（図３）
縦枠Ａ１の法枠骨組み３と、横枠Ａ２の法枠骨組み３との交差部においては両者を分断せずに一体化するように構成する。
そのために、縦枠Ａ１あるいは横枠Ａ２の一方の法枠骨組み３をつぶしたように変形させて他方の法枠骨組み３の下に配置する。
例えば一方の法枠骨組み３をアーチ状に構成した場合には、このアーチの半径を徐々に拡大してゆるいアーチとしてゆき、他の法枠骨組み３の下ではほぼ平面に近くなるまで半径を拡大させる。
このようにほぼ平面形状の法枠骨組み３を、他の法枠骨組み３の下に敷設し、交差部で上下に重なった法枠骨組み３を貫通して上方からアンカー３１を打設して法面に縫い付ける。
アンカー３１の長さは通常５０〜１５０ｃｍ程度であって、その太さは１０〜２０ｍｍ程度であるが、法枠Ａの高さなどに応じて選択され、アンカー３１の長さは法枠Ａの高さの２〜５倍程度が好ましい。
【００１７】
＜１０＞砂基材の吹き付け
多孔帯状体１を法面５上に敷設したら、露出した法面４を残して、多孔帯状体１の上に砂基材４を吹き付ける。
砂基材４は、例えば砂と繊維とセメントと水を混合したような公知の材料を使用する。砂や繊維を接合する材料としてセメント材料を使用するが、接合材として、例えば高分子樹脂（接着剤のようなもの）も採用可能である。
混合する繊維は、短繊維でも長繊維でもよい。或いは短繊維を２種以上混合することもある。
繊維の種類としては、合成樹脂繊維の他、ガラス繊維など様々な繊維が採用可能である。
この砂基材４を攪拌し、コンプレッサで圧縮した空気によって、法面５に敷設した多孔帯状体１の上から、その内部の孔１２に侵入するよう、多孔帯状体１上部から砂基材４を吹き付ける。
さらに多孔帯状体１の周囲にも多孔帯状体１を巻き込むように砂基材４を吹き付ける。
砂基材４の吹き付けに際しては、露出した法面５を残して、多孔帯状体１の上を対象に吹き付けるが、吹き付けの際に跳ね返った砂基材４が多孔帯状体１の周囲、すなわち露出した法面５上に飛散することは避けられない。
しかし砂基材４は植物の生育を阻害するものでなく、植生が可能な材料であるため、たとえ露出した法面５上に飛散して残ったとしても問題はない。
したがって従来のように、法枠Ａで囲まれた内部にブルーシートを敷設して吹き付け材の飛散を阻止するというような枠内処理の作業は必要ない。
以上の施行の結果、多孔帯状体１に砂基材４の繊維が絡むことになり、大きな補強機能が得られる。
また多孔帯状体１に吹き付けた砂基材４は多孔帯状体１の孔１２を通過して強制的に充填されるから、法面５の凹凸によって、多孔帯状体１が法面５から離れていても、法面５に密着した法枠Ａが形成される。
アーチ状などに変形させた後の多孔帯状体１の間を連結する多孔連結材２も多数の孔１２を開口しているから、多孔連結材２の下部の位置にも砂基材４を完全に充填することができる。
【００１８】
＜１１＞筒状法枠骨組み３への砂基材４の吹き付け。
多孔性帯状材１を円筒形や多角筒形にした法枠骨組み３には、図７に示すように、多孔性帯状材１の貫通孔を通して、筒の内部に砂基材４を充填する。
図のように円筒形の法枠骨組み３の場合は、法枠骨組み３の幅方向両側の骨組み３下と法面５との間にも砂基材４を吹き付け、その設置を安定化する。
【００１９】
＜１２＞植生基盤材の吹きつけ。
縦横の枠Ａ１、Ａ２で囲まれ、法面の地山が露出している面Ａ３には植生基盤材を吹き付ける。
植生基盤材としては、植生基材、種子、肥料、接合材などを混合した公知のものを採用することができる。
この植生基盤材を、攪拌し、コンプレッサで圧縮した空気によって、砂基材４の吹き付けを行っていない露出した法面５の上に吹き付け、法枠Ａを完成する。
【００２０】
＜１３＞枠の特徴。
前記したように砂基材４にはセメントを混合してある。
しかし一般に砂基材４においては、セメント量はきわめて少量に設定しておく。
そのために砂基材４を吹き付けた法枠Ａの部分がコンクリートブロックのように強固に硬化してしまうことはなく、砂粒子間には十分な間隔が維持されている。
その結果、各法枠Ａは大きな保水性を維持することが可能であり、さらに周囲から飛来した植物の種子が砂基材４に定着することも可能である。
また、法枠骨組み３を敷設していない部分は、法面５が露出しているから、そのこの露出面Ａ３に周囲から飛来した植物の種子が定着して生育することは十分に可能である。
このように、砂基材４は法面５の全面に吹き付ける必要はなく、法枠骨組み３の上を中心に吹き付けを行い、他の法面５は露出させたままであるから、施工が迅速で経済的である。
また、多孔帯状体１に繊維を含んだ砂基材４を吹き付けるから、繊維が多孔帯状体１の孔１２に絡んで、初期の段階から法面５の表面の崩壊などを抑制する補強効果を期待することができる。
さらに時間とともに植物が成長すれば、根茎の緊縛力が大きくなることが期待できるため、経年後の法枠Ａはさらに傾斜面の安定性が向上する。
【００２１】
＜１４＞法枠Ａへの削孔。
前記したように、縦枠Ａ１、横枠Ａ２ともに砂基材４で構成してあるから保水性、種子の定着性が保持されており、周囲の植物の種が定着して育成することが可能である。
しかしそのような自然現象を待つだけでなく、積極的に法枠Ａに植生することも可能である。
そのために砂基材４を吹き付けて構成した縦枠Ａ１、横枠Ａ２に上部から、あるいは側面から削孔６する。
砂基材４のセメント量を、形状を保つ最少量として設計しておけば、その主要材料は砂であるから、特別な削岩機を使わなくとも容易に削孔することができる。
この削孔６は法枠Ａの内部だけに形成するか、あるいは法枠Ａを貫通して法面５の地山の内部まで形成する。
そしてこの削孔６に植生基盤材と植物の苗８を挿入する。
あるいは削孔６内に挿入した植生基盤材に種を植える。
砂基材４は大きな保水性も備えているから、法枠Ａにおいて、削孔６の内部の植物はその根を容易に砂基材４の内部に伸ばし、あるいは法面５地山の内部に伸ばすことができる。特に樹木の根は、草木の根以上に法枠Ａ内や法面５下へ長く伸びるため、法枠Ａや法面５の補強となり、草木が枯れる冬でも、その補強効果は衰えない。
その結果、図６に示すように、縦枠Ａ１、横枠Ａ２で囲まれた露出面Ａ３からだけでなく、縦枠Ａ１、横枠Ａ２そのものの表面から植物が生えて繁殖するという、従来の法枠Ａでは想像のできなかった景観を得ることができる。
【００２２】
＜１５＞植生の他の態様
図１０に示すのは、樹木の植生の他の実施態様であって、法枠Ａ１若しくはＡ２に、法面５下にまで達する削孔６を形成し、その中に、樹木の苗８を挿入する。その場合、苗８を、紙や生分解性樹脂などで形成した筒体９の中に、土壌や肥料と一緒に入れておき、その筒体９のまま削孔６の中に挿入する。
削孔６の中で紙や生分解性樹脂が分解され、樹木の苗８が根を法面５下の土壌や砂基材４の中へ根を伸ばして、より確実に樹木の根が法枠Ａや法面を補強する。
【００２３】
＜１６＞（他の実施形態）
上述の実施形態では、砂基材４の供給方法として、法枠骨組み３の上から吹き付けた例を示したが、法面５と法枠骨組み３との間に砂基材４が充填されればよく、連続してポンプから吐き出したり、注入するような公知の種々の方法を用いて供給することができる。また、法枠骨組み３の受けから、砂基材４を吹き付けてもよい。
また、上述の実施形態では、連結多孔体２が法枠Ａとほぼ同じ長さで連続している例を示したが、多孔帯状体１の変形を維持できれば分割した複数の連結多孔体により変形を維持するものでもよい。
さらに、上述の実施形態では、交差部にアンカーを配置した例を示したが法面に法枠骨組みを固定できれば、アンカーを交差部に配置しなくてもよい。
【図面の簡単な説明】
【００２４】
【図１】本発明の法枠の構築方法で構築した完成状態の法枠の説明図。
【図２】法枠骨組みの配置の実施例の説明図。
【図３】交差部における法枠骨組みの交差状態の説明図。
【図４】法枠骨組みに砂基材を吹き付けた状態の説明図。
【図５】法枠に削孔した状態の説明図。
【図６】法面の露出面と法枠から植生が育った状態の説明図。
【図７】他の形状の法枠骨組みに砂基材を吹き付けた状態の説明図。
【図８】他の形状の法枠骨組みに砂基材を吹き付けた状態の説明図。
【図９】他の形状の法枠骨組みに砂基材を吹き付けた状態の説明図。
【図１０】法枠に樹木苗を植え込む状態の説明図。
【符号の説明】
【００２５】
Ａ：法枠
Ａ１：縦枠
Ａ２：横枠
Ａ３：露出面
１：多孔帯状体
２：多孔連結材
３：法枠骨組み
４：砂基材
５：法面
６：削孔
７：スペーサー部材
８：苗
９：筒体
【図１】
2008163741.tif 000003
【図２】
2008163741.tif 000004
【図３】
2008163741.tif 000005
【図４】
2008163741.tif 000006
【図５】
2008163741.tif 000007
【図６】
2008163741.tif 000008
【図７】
2008163741.tif 000009
【図８】
2008163741.tif 000010
【図９】
2008163741.tif 000011
【図１０】
2008163741.tif 000012